(57)【特許請求の範囲】
【請求項１】
携帯端末装置のコンピュータに、
メール等のデータが着信した際に、起動中のアプリケーションに対するキー入力状態を検出するキー検出ステップと、
検出されたキー入力状態の時間間隔に応じてアプリケーション画面を優先表示させるか着信通知を優先表示させるかを判定する判定ステップと、
アプリケーション画面の優先表示を判定した場合はアプリケーション画面に影響のないように着信通知を表示し、着信通知の優先表示を判定した場合は前記アプリケーション画面の前面となるように着信通知を表示する着信表示制御ステップと、
を実行させ、
前記着信表示制御ステップは、前記アプリケーション画面に影響しないように着信通知を表示した後、前記判定ステップでキー入力状態から着信通知の優先表示が判定された場合、前記アプリケーション画面の前面となる着信通知の表示に変更することを特徴とするプログラム。
【請求項２】
携帯端末装置のコンピュータに、
メール等のデータが着信した際に、起動中のアプリケーションに対するキー入力状態を検出するキー検出ステップと、
検出されたキー入力の時間間隔に応じてアプリケーション画面を優先表示させるか着信通知を優先表示させるかを判定する判定ステップと、
アプリケーション画面の優先表示を判定した場合はアプリケーション画面に影響のないように着信通知を表示し、着信通知の優先表示を判定した場合は前記アプリケーション画面の前面となるように着信通知を表示する着信表示制御ステップと、
を実行させ、
前記着信表示制御ステップは、前記アプリケーション画面の前面に着信通知を表示した後、前記判定ステップでキー入力状態からアプリケーション画面の優先表示が判定された場合、前記アプリケーション画面に影響のない着信通知の表示に変更することを特徴とするプログラム。
【請求項３】
請求項１または請求項２のいずれかのプログラムに於いて、
キー入力間隔が所定時間より長いときは着信通知を表示し、短い場合はアプリケーションを表示することを特徴とするプログラム。
【請求項４】
携帯端末装置の着信通知方法に於いて、
メール等のデータが着信した際に、起動中のアプリケーションに対するキー入力状態を検出するキー検出ステップと、
検出されたキー入力の時間間隔に応じてアプリケーション画面を優先表示させるか着信通知を優先表示させるかを判定する判定ステップと、
アプリケーション画面の優先表示を判定した場合はアプリケーション画面に影響のないように着信通知を表示し、着信通知の優先表示を判定した場合は前記アプリケーション画面の前面となるように着信通知を表示制御する着信表示制御ステップと、
を備え、
前記着信表示制御ステップは、前記アプリケーション画面に影響しないように着信通知を表示した後、前記判定ステップでキー入力状態から着信通知の優先表示が判定された場合、前記アプリケーション画面の前面となる着信通知の表示に変更することを特徴とする着信通知方法。
【請求項５】
携帯端末装置の着信通知方法に於いて、
メール等のデータが着信した際に、起動中のアプリケーションに対するキー入力状態を検出するキー検出ステップと、
検出されたキー入力の時間間隔に応じてアプリケーション画面を優先表示させるか着信通知を優先表示させるかを判定する判定ステップと、
アプリケーション画面の優先表示を判定した場合はアプリケーション画面に影響のないように着信通知を表示し、着信通知の優先表示を判定した場合は前記アプリケーション画面の前面となるように着信通知を表示制御する着信表示制御ステップと、
を備え、
前記着信表示制御ステップは、前記アプリケーション画面の前面に着信通知を表示した後、前記判定ステップでキー入力状態からアプリケーション画面の優先表示が判定された場合、前記アプリケーション画面に影響のない着信通知の表示に変更することを特徴とする着信通知方法。
【請求項６】
請求項４または請求項５のいずれかの着信通知方法に於いて、
キー入力間隔が所定時間より長いときは着信通知を表示し、短い場合はアプリケーションを表示することを特徴とする着信通知方法。
【請求項７】
携帯端末装置に於いて、
メール等のデータが着信した際に、起動中のアプリケーションに対するキー入力状態を検出するキー検出部と、
検出されたキー入力状の時間間隔に応じてアプリケーション画面を優先表示させるか着信通知を優先表示させるかを判定する判定部と、
アプリケーション画面の優先表示を判定した場合はアプリケーション画面に影響のないように着信通知を表示し、着信通知の優先表示を判定した場合は前記アプリケーション画面の前面となるように着信通知を表示制御する着信表示制御部と、
を備え、
前記着信表示制御部は、前記アプリケーション画面に影響しないように着信通知を表示した後、前記判定部でキー入力状態から着信通知の優先表示が判定された場合、前記アプリケーション画面の前面となる着信通知の表示に変更することを特徴とする携帯端末装置。
【請求項８】
携帯端末装置に於いて、
メール等のデータが着信した際に、起動中のアプリケーションに対するキー入力状態を検出するキー検出部と、
検出されたキーの時間間隔に応じてアプリケーション画面を優先表示させるか着信通知を優先表示させるかを判定する判定部と、
アプリケーション画面の優先表示を判定した場合はアプリケーション画面に影響のないように着信通知を表示し、着信通知の優先表示を判定した場合は前記アプリケーション画面の前面となるように着信通知を表示制御する着信表示制御部と、
を備え、
前記着信表示制御部は、前記アプリケーション画面の前面に着信通知を表示した後、前記判定部でキー入力状態からアプリケーション画面の優先表示が判定された場合、前記アプリケーション画面に影響のない着信通知の表示に変更することを特徴とする携帯端末装置。
【請求項９】
請求項７または請求項８のいずれかの携帯端末装置に於いて、
キー入力間隔が所定時間より長いときは着信通知を表示し、短い場合はアプリケーションを表示することを特徴とする携帯端末装置。
【発明の詳細な説明】
【技術分野】
【０００１】
本発明はメール等のネットワークからの情報が着信した際に画面上に着信通知を表示する着信通知プログラム、着信通知方法及び携帯端末装置装置に関し、特に、起動中のアプリケーションの画像表示に対し適切に着信通知を表示する着信通知プログラム、着信通知方法及び携帯端末装置装置に関する。
【背景技術】
【０００２】
従来、携帯電話にあっては、メール等を着信した場合に、待ち受け画面上に着信通知を表示するようにしている。またユーザが携帯電話のアプリケーションを使用中にメール等が着信した場合にも、アプリケーション画面に着信通知を表示している。【０００３】
このうちアプリケーション起動中の着信通知の表示方法としては次の２通りの方法が主流となっている。【０００４】
第１の着信通知表示方法は、図１（Ａ）のように、アプリケーション起動中は、アプリケーション画面１００の隅に小さなアイコンを用いたピクト１０２を表示して着信を通知している。【０００５】
第２の着信通知表示方法は、図１（Ｂ）のように、アプリケーション起動中であっても、アプリケーションより着信を優先し、ピクト１０２の表示に加え、アプリケーション画面１０２の前面に着信通知メッセージ１０４を表示するようにしている。
【特許文献１】特開２０００−０８３２８２号公報
【特許文献２】特開２００３−００８６９８号公報
【発明の開示】
【発明が解決しようとする課題】
【０００６】
しかしながら、このような従来の着信通知の表示方法にあっては、図１（Ａ）の場合、画面隅に表示するピクト１０２が小さく、ユーザがメール着信に気づきにくいという難点がある。また図１（Ｂ）の場合には、ユーザがメールを書いている最中やゲームを行っている最中にメールが着信すると、アプリケーション画面１００の前面に着信通知メッセージ１０４が表示されて一時的に見えなくなり、ユーザ操作が中断されるという問題がある。【０００７】
また、図１（Ａ）の表示と図１（Ｂ）の表示をユーザが設定によって選べる機能を搭載されたものもあるが、アプリケーションの使い方とメールの重要性などからユーザが判断して設定を変更する必要があり、いずれにしてもユーザから見た操作性はあまりよいとは言いがたい。【０００８】
更に携帯電話等の小型携帯端末装置では画面が小さく、ひとつのアプリケーションを起動するとそれだけで画面を占有することとなり、アプリケーションと着信通知の表示を両立させることには困難が伴う。【０００９】
本発明は、アプリケーション起動中の着信通知の画面表示を、アプリケーションの使い方に応じて最適な表示状態に動的に変化させる着信通知プログラム、着信通知方法及び携帯端末装置を提供することを目的とする。
【課題を解決するための手段】
【００１０】
本発明は、携帯端末装置のコンピュータにより実行される着信通知プログラムを提供する。本発明の着信通知プログラムは、携帯端末装置のコンピュータに、
メール等のデータが着信した際に、起動中のアプリケーションに対するキー入力状態を検出するキー検出ステップと、
検出されたキー入力状態からアプリケーション画面を優先表示させるか着信通知を優先表示させるかを判定する判定ステップと、
アプリケーション画面の優先表示を判定した場合はアプリケーション画面に影響のないように着信通知を表示し、着信通知の優先表示を判定した場合はアプリケーション画面の前面となるように着信通知を表示制御する着信表示制御ステップと、
を実行させることを特徴とする。【００１１】
ここで、着信表示制御ステップは、アプリケーション画面に影響しないように着信通知を表示した後、判定ステップでキー入力状態から着信通知の優先表示が判定された場合、アプリケーション画面の前面となる着信通知の表示に変更する。【００１２】
また着信表示制御ステップは、アプリケーション画面の前面に着信通知を表示した後、判定ステップでキー入力状態からアプリケーション画面の優先表示が判定された場合、アプリケーション画面に影響のない着信通知の表示に変更する。【００１３】
判定ステップは、キー入力状態の判定基準を予め設定し、検出されたキー入力状態と判定基準を比較してアプリケーション画面を優先表示させるか着信通知を優先表示させるかを判定する。【００１４】
また判定ステップは、判定基準をアプリケーション毎に設定し、起動中のアプリケーションに対応した判定基準を取得してキー入力状態を判定するようにしても良い。【００１５】
判定ステップは、判定基準として、最初に着信通知を表示するための第１判定基準と、着信通知を表示した後に着信通知の表示を変更するための第２判定基準と個別に設定し、且つ第１判定基準と第２判定基準を異ならせるようにしても良い。【００１６】
キー検出ステップは、キー入力の時間間隔を検出し、
判定ステップは、判定基準としてキー入力の時間間隔の判定時間を設定し、検出されたキー入力の時間間隔が判定時間以下の場合はアプリケーション画面の優先表示を判定し、検出されたキー入力の時間間隔が判定時間を超えた場合は着信通知の優先表示を判定する。【００１７】
本発明は、携帯端末装置の着信通知方法を提供する。本発明の着信通知方法は、
メール等のデータが着信した際に、起動中のアプリケーションに対するキー入力状態を検出するキー検出ステップと、
検出されたキー入力状態からアプリケーション画面を優先表示させるか着信通知を優先表示させるかを判定する判定ステップと、
アプリケーション画面の優先表示を判定した場合はアプリケーション画面に影響のないように着信通知を表示し、着信通知の優先表示を判定した場合はアプリケーション画面の前面となるように着信通知を表示制御する着信表示制御ステップと、
を備えたことを特徴とする。【００１８】
本発明は携帯端末装置を提供する。本発明の携帯端末装置は、
メール等のデータが着信した際に、起動中のアプリケーションに対するキー入力状態を検出するキー検出部と、
検出されたキー入力状態からアプリケーション画面を優先表示させるか着信通知を優先表示させるかを判定する判定部と、
アプリケーション画面の優先表示を判定した場合はアプリケーション画面に影響のないように着信通知を表示し、着信通知の優先表示を判定した場合はアプリケーション画面の前面となるように着信通知を表示制御する着信表示制御部と、
を備えたことを特徴とする。【００１９】
なお、本発明による着信通知方法及び携帯端末装置の詳細は、着信通知プログラムと基本的に同じになる。
【発明の効果】
【００２０】
本発明によれば、例えばキー入力の頻度が高い状態を検出したらアプリケーション優先と判定して着信通知をアプリケーション画面の隅に小さく表示しており、ゲーム中やメール作成中などのアプリケーション起動中の割り込まれたくないような状況で、メールの着信通知に煩わされることはなく、またアプリケーションを起動している状態で放置しても、着信を知ることができる。【００２１】
一方、アプリケーションの起動中であっても、キー入力の頻度が低い状態を検出した場合、例えばメール作成画面を開いたままの状態やブラウザでコンテンツを眺めているだけのような場合、アプリケーション画面に割り込んでも問題がないことから、着信通知はアプリケーション画面の前面の中央に大きく目立つように表示され、着信を確実に知らせることができる。【００２２】
またキー入力頻度が高い状態で画面隅に着信通知を小さく表示した後に、一定時間キー入力がなくなったような場合には、着信通知を画面中央に大きく目立つ表示に切り替えられ、メール等の見落としを防止できる。【００２３】
逆に、キー入力がない状態で画面中央に着信通知を大きく表示した後に、キー入力が開始された場合には、着信通知は画面隅の小さな表示に切り替えられ、着信通知に煩わされることなくアプリケーションを使用することができる。
【図面の簡単な説明】
【００２４】
【図１】従来の携帯電話におけるアプリケーション起動中の着信表示の説明図；
【図２】本発明による着信通知機能を備えた携帯電話のブロック図；
【図３】図２のキー入力状態の判定に使用する判定基準の説明図；
【図４】本発明によるアプリケーション起動中の着信表示の説明図；
【図５】本発明による着信通知処理のフローチャート；
【図６】本発明におけるキー入力状態の検出処理のフローチャート；
【図７】図６のキー検出処理のタイムチャート；
【図８】着信通知表示のためのキー入力判定基準を２段階に設定した本発明による着信通知処理のフローチャート；
【発明を実施するための最良の形態】
【００２５】
図2は本発明による着信通知機能を備えた携帯電話のブロック図である。図２において、携帯電話１０は制御ボード１２、複数のキー１５を備えたキー入力部１４、カラー表示可能な液晶ディスプレイユニット１６で構成される。【００２６】
制御ボード１２にはＭＰＵ１８が搭載されており、ＭＰＵ１８に対しキー入力部１４及び液晶ディスプレイユニット１６を接続すると共に、送受信制御部２２を介して送信器２４と受信器２６を接続している。送信器２４及び受信器２６は携帯電話の基地局との間で携帯電話通信プロトコルに従った無線による情報転送を行なう。【００２７】
ＭＰＵ１８にはアプリケーション実行環境２０が設けられている。アプリケーション実行環境２０には、この実施形態にあっては、メモ帳処理部２８、ブラウザ３０、他の着信通知部３２を設け、さらにメール関係としてメール受信部３４、メール編集部３６及びメール送信部３８を設けている。【００２８】
アプリケーション実行環境２０に設けられた各アプリケーションは、ＭＰＵ１８のＣＰＵにより実行されており、各アプリケーションを起動すると液晶ディスプレイユニット１６の前面にアプリケーション画面を表示し、ユーザは液晶ディスプレイユニット１６のアプリケーション画面を見ながらキー入力部１４のキー１５を操作して必要な入出力を行なう。【００２９】
アプリケーション実行環境２０に対しては、本発明の着信通知機能を実現するため、キー検出部４０、キー入力状態判定部４２、キー判定基準設定部４４、タイマ４６、着信表示制御部４８及び画面表示部５０が設けられている。【００３０】
キー検出部４０は起動中のアプリケーション、例えばブラウザ３０の起動中に、キー入力部１４におけるキー１５のいずれかの操作によるキー入力状態を検出する。このキー入力状態の検出は具体的にはタイマ４６を使用し、キー入力の時間間隔を検出している。【００３１】
キー入力状態判定部４２は、キー検出部４０から得られたキー入力状態につきアプリケーション画面を優先表示させるか、着信通知を優先表示させるかを判定する。キー入力状態の判定は、キー判定基準設定部４４により設定された判定基準に基づいて行なわれる。【００３２】
例えばキー検出部４０からキー入力状態としてキー入力の時間間隔が与えられた場合、キー判定基準設定部４４は判定基準時間として、例えば５秒を設定しており、キー入力の時間間隔が５秒以内であればキー入力頻度は高いものと判断し、アプリケーション画面の優先表示を判定する。【００３３】
これに対し、キー入力の時間間隔がキー判定基準間隔５秒を超えていた場合にはキー入力の頻度は低いもの判断し、着信通知の優先表示を判定する。ここでキー判定基準設定部４４による判定基準はアプリケーション実行環境２０に設けているアプリケーション毎に定めている。【００３４】
図３（Ａ）はキー判定基準設定部４４で使用する判定基準テーブル５２の説明図である。判定基準テーブル５２はアプリケーション名５４とアプリケーション優先のキー入力判定基準５６を設定している。例えば、アプリケーション名５４としては例えばゲーム、メモ帳、ブラウザが設定され、着信表示優先のキー入力判定基準としては、ゲームについては５秒間キー入力、メモ帳については１０秒間キー入力、ブラウザについては１５秒間キー入力を設定している。【００３５】
図３（Ｂ）は図２のキー判定基準設定部４４で設定する他の判定基準テーブル５８である。この判定基準テーブル５８にあっては、アプリケーション名に対し着信表示優先のキー入力第1判定基準６２と着信表示優先のキー入力第2判定基準６４の２つを設定している。【００３６】
このうち第１判定基準６２はメールを最初に着信して着信表示を通知する際の判定基準であり、第２判定基準６４は第１判定基準６２に従って着信表示を行った後にキー入力状態の変化を判定して着信通知の表示状態を変更する際に使用する判定基準である。【００３７】
この図３（Ｂ）の判定基準テーブル５８にあってもアプリケーション名６０としてゲーム、メモ帳、ブラウザが登録され、アプリケーション優先の入力キー第1判定基準６２は図３（Ａ）のキー入力判定基準５６と同じであるが、キー入力第2判定基準６４が追加的に設定されており、この場合には第１判定基準６２に対し２倍の時間を設定している。【００３８】
もちろん図３（Ａ）の判定基準テーブル５２を使用した場合には、最初のメール着信におけるキー入力状態の判断による着信表示も、その後のキー入力状態の変化による着信表示の表示変更も、同じアプリケーション優先のキー入力判定基準５６を使用して行う。【００３９】
図４は図２の携帯電話１０におけるアプリケーション起動中の着信表示の説明図である。図４（Ａ）はキー入力状態判定部４２でアプリケーション画面の優先表示を判別した場合であり、液晶ディスプレイユニット１６の画面全体にわたり起動中のアプリケーションに対応したアプリケーション画面６６を表示しており、この状態でメール着信が行なわれ、キー入力状態としてアプリケーション画面の優先表示が判別されるため、アプリケーション画面６６の右上隅に小さく着信通知を示す小さなアイコンであるピクト６８を表示している。【００４０】
図４（Ｂ）はキー入力状態判定部４２で着信通知の優先表示が判定された場合であり、アプリケーション画面６６の中央の前面に着信通知メッセージ７０を大きく目立つように表示している。【００４１】
すなわち本発明によればアプリケーション起動中にキー入力を頻繁に行なっていると図４（Ａ）のようにアプリケーション画面６６を妨げないように画面隅に小さく着信通知としてピクト６８が表示され、一方、アプリケーション起動中にキー入力を行なうことなく例えばブラウザを起動してコンテンツを眺めているようなキー入力がほとんどない場合には、図４（Ｂ）のようにアプリケーション画面６６の中央に大きく着信通知メッセージ７０が表示される。【００４２】
図５は本発明による着信通知処理のフローチャートであり、キー入力状態の判定基準として図３（Ａ）の判定基準テーブル５２を使用した場合である。【００４３】
図５において、ステップＳ１でメール着信の有無をチェックしており、メール着信があるとステップＳ２に進み、アプリケーションが起動中か否かチェックする。アプリケーションが起動中であればステップＳ３に進み、アプリケーションごとに定めた例えば図３（Ａ）のような判定基準テーブル５２の中から、現在起動中のアプリケーションに対応したキー入力判定基準を取得する。【００４４】
続いてステップＳ４でキー入力状態をキー検出部４０から読み込む。続いてステップＳ５でステップＳ３で得られたキー入力の判定基準とステップＳ４で読み込んだ検出されたキー入力状態とを比較し、アプリケーション優先のキー入力状態か否か判定する。【００４５】
例えば現在起動中のアプリケーションが図３（Ａ）の判定基準テーブル５２におけるゲームであった場合に、着信表示優先のキー入力判定基準５６として「５秒以内にキー入力」が設定されていることから、このときのキー入力状態の検出値としてキー入力の時間間隔と比較し、キー入力の時間間隔が５秒以内であればアプリケーション優先のキー入力状態と判定し、ステップＳ６に進み、図４（Ａ）に示したようにアプリケーション画面６６の隅に小さく着信通知を示す小さなアイコンとしてのピクト６８を表示させる。【００４６】
一方、ステップＳ５においてキー入力状態の検出値として読み込んだキー入力の間隔時間がキー入力の判定基準である５秒を超えていた場合には、着信通知優先のキー入力状態と判定してステップＳ７に進み、図４（Ｂ）のようにアプリケーション画面６６前面の中央に目立つように拡大して着信通知メッセージ７０を表示する。【００４７】
なお、着信通知のリアルタイム性を確保するために、キー入力状態の取り込みは、着信とは独立にアプリケーションが起動されているときは常に判定しておくようにし、着信時は、直近の判定状態を用いて着信方法を決定するようにしても良い。【００４８】
続いてステップＳ８でメールオープンの有無をチェックしており、メールオープンがあればステップＳ９で着信表示を消去し、ステップＳ１０で停止指示があるまでステップＳ１からの処理を繰り返す。【００４９】
一方、ステップＳ８でメールオープンでなかった場合にはステップＳ４に戻り図６または図７でアプリケーション画面優先の着信通知表示または着信通知優先の表示を行なっている状態でキー入力状態を取り込む。もしステップＳ５で現在のキー入力状態と異なるキー入力状態を判定した場合には着信通知の表示状態を切り替える。【００５０】
即ち、図４（Ａ）のアプリケーション画面優先の着信通知の表示状態でキー入力操作がなくなった場合には、このキー入力状態から着信通知優先のキー入力状態を判定してステップＳ７で図４（Ｂ）のような着信メッセージ７０をアプリケーション画面６６の中央に大きく表示する拡大着信表示に切り替える。【００５１】
逆に、現在図４（Ｂ）のようなアプリケーション画面６６の中央に着信通知メッセージ７０を拡大表示している着信通知の表示状態にあっては、ユーザがアプリケーションを使用するためのキー入力を開始したことを判別し、アプリケーション優先のキー入力状態と判定することでステップＳ６に進み、図４（Ａ）のようなアプリケーション画面６６の隅にピクト６８を着信通知として表示する縮小着信通知に切り替える。【００５２】
尚、ステップＳ２でメール着信した際にアプリケーションを起動していない待ち受け画面であった場合にはステップＳ７に進み、図４（Ｂ）の拡大着信表示を行うことになる。【００５３】
図６は図２のキー検出部４０によるタイマ４６を用いたキー検出処理のフローチャートである。このキー検出処理にあってはステップＳ１でタイマを起動し、ステップＳ２でタイムアウトの有無をチェックしており、タイムアウトとなるまではステップＳ３でキー入力の有無をチェックしている。【００５４】
このタイマ起動中にステップＳ３でキー入力が判定されるとステップＳ４に進み、その時のタイマ値を読み込む。タイマ値を読み込んだ後はステップＳ１に戻ってタイマをリセットスタートする。【００５５】
またタイマ起動中にステップＳ２でタイマで計数可能な最大時間Ｔｍａｘに対してタイムアウトするとステップＳ４でタイマ値を読み込んだ後、ステップＳ１に戻ってタイマを再度起動する処理を繰り返す。【００５６】
図７は図６のキー検出処理のタイムチャートである。図７（Ａ）はキー入力がない場合のタイマ動作であり、時刻ｔ１で図６のステップＳ１でタイマを起動した後、ステップＳ２のタイムアウトの有無を繰り返し検出している。タイマは最大時間であるＴｍａｘに達する時刻ｔ５でタイムアウトして、ステップＳ２〜ステップＳ５に進み、その時のタイマ値Ｔｍａｘを読み込む。【００５７】
図７（Ｂ）（Ｃ）（Ｄ）はキー入力があった場合のタイマ動作とタイマ読込値を示している。時刻ｔ１でタイマ起動が行なわれた後、図７（Ｂ）のように時刻ｔ２、ｔ３、ｔ４のそれぞれでキー入力が行なわれている。【００５８】
このキー入力に対し、図７（Ｃ）のタイマ動作は最初の時刻ｔ２でキー入力が判別され、そのときのタイマ値Ｔ１を読み込んだ後、再度タイマを起動する。次の時刻ｔ２でキー入力が判別されるとこの時の時刻ｔ２からの時間Ｔ２をタイマ値として読み込んだ後に再度タイマを起動する。さらに時刻ｔ４であった場合には時刻ｔ２からの経過時間ｔ３をタイマ値として読込、タイマを再度起動することになる。【００５９】
このような図７におけるタイマを用いたキー検出処理により、図５のステップＳ４のキー入力状態の読込はそのとき保持されているタイマ読取値を取り込んでキー入力の判定基準となる時間、たとえば５秒と比較することになる。【００６０】
尚、キー入力の時間間隔の検出は、図６のキー検出処理のフローチャートに限定されず、十分な継続時間を持つタイマを利用し、キー入力操作を検出した時の時刻データを取り込み、前回のキー入力時刻データの差によりキー入力の時間間隔を検出するようにしても良い。【００６１】
図８は図３（Ｂ）の判定基準テーブル５８を用いて最初に着信通知表示をする際のキー入力判定基準とその後の着信通知表示を切り替えるためのキー入力判定基準を個別に設定した場合の本発明による着信通知処理のフローチャートである。【００６２】
図８において、ステップＳ１でメール着信を判別すると、ステップＳ２でアプリケーション起動中か否かチェックし、アプリケーション起動中であればステップＳ３に進み、アプリケーションに対応したキー入力判定基準を取得する。続いてステップＳ４でキー入力状態を検出した後、ステップＳ５でアプリケーション優先のキー入力状態か否かチェックする。【００６３】
アプリケーション優先のキー入力状態であればステップＳ６に進み、図４（Ａ）のようなアプリケーション優先の縮小着信表示を行なう。一方、着信通知優先のキー入力状態を判定した場合にはステップＳ１０に進み、図４（Ｂ）のような着信通知優先の拡大着信通知を行なう。【００６４】
ステップＳ６でアプリケーション優先の縮小着信表示を行なった後は再びステップＳ７でキー入力状態を検出し、ステップＳ８で着信表示優先のキー入力状態か否か判別し、もしキー入力が停止して着信表示優先のキー入力状態と判別された場合にはステップＳ９に進み、現在の図４（Ａ）の縮小着信表示の状態から図４（Ｂ）の拡大着信表示の状態に切り替える。【００６５】
この点はステップＳ１０で拡大着信表示を現在行なっている場合でも同じであり、ステップＳ１１でキー入力状態を検出し、ステップＳ１２でアプリケーション優先のキー入力状態を判別した場合にはステップＳ１３に進み、現在の図４（Ｂ）の拡大着信表示の状態から図４（Ａ）の縮小着信表示の状態に切り替える。【００６６】
その後ステップＳ１４でメールオープンをチェックしており、メールオープンがあればステップＳ１５で着信表示を消去し、ステップＳ１６で停止指示があるまでステップＳ１からの処理を繰り返す。またステップＳ２でアプリケーションが起動していない待ち受け画面であった場合にはステップＳ１０に進み、図４（Ｂ）の拡大着信表示を行なうことになる。【００６７】
さらに本発明は携帯端末装置のコンピュータで実行される着信通知プログラムを提供するものであり、この着信通知プログラムは図５のフローチャートまたは図８のフローチャートの処理手順により実現される。【００６８】
本発明の着信通知処理のプログラムは、図２に示した制御ボード１２のＭＰＵ１８のようなコンピュータのハードウェア資源で実行される。このＭＰＵ１８にあってはＣＰＵのバスにＲＡＭやテンキーやディスプレイのデバイスコントローラーが接続されている。ＲＡＭには本発明の着信通知プログラムがローディングされており、ＭＰＵ１８の起動時にＲＡＭから読み出されてＲＡＭ上に展開し、ＣＰＵにより実行することになる。【００６９】
尚、上記の実施形態は、携帯端末装置として携帯電話を例にとるものであったが、本発明はこれに限定されず、アプリケーションを起動した場合に画面全体が占有されるような小型のディスプレイを使用した携帯端末装置であれば、適宜の携帯端末装置につきそのまま適用することができる。【００７０】
また図３に示したアプリケーション優先の着信通知表示と着信通知表示優先の着信通知の表示内容はこれに限定されず、アプリケーションが優先の場合にはアプリケーション画面を妨げずに着信を通知できる適宜の着信通知の表示とし、また着信通知優先の表示画面では、アプリケーション画面の前面に目立つように着信通知を表示する適宜の表示とすればよい。【００７１】
また本発明はその目的と利点を損なうことのない適宜の変形を含み、さらに上記の実施形態に示した数値による限定は受けない。
【図１】
0004388073.tif 000002
【図２】
0004388073.tif 000003
【図３】
0004388073.tif 000004
【図４】
0004388073.tif 000005
【図５】
0004388073.tif 000006
【図６】
0004388073.tif 000007
【図７】
0004388073.tif 000008
【図８】
0004388073.tif 000009